(57)【要約】      （修正有）【課題】標的をより明確に視認し、その標的に小火器の照準を定めることができるようにするための照準器用中継ばねを提供する。【解決手段】照準器は、ハウジングと中継アセンブリと付勢要素とを含む。中継アセンブリは、少なくとも１つの光学要素とメインチューブと少なくとも１つのトラックを備えるトラックチューブとレチクルアセンブリとを有する。トラックチューブは、メインチューブの縦軸に対して実質的に平行である軸に沿ってメインチューブ内の少なくとも１つの光学要素の軸方向位置を調整するために、メインチューブの周りを選択的に回動可能である。レチクルアセンブリは、少なくとも１つの光学要素を更に含む。付勢要素は、ハウジングの内面に固定される取付用ストラップと中継アセンブリと接触し、中継アセンブリに力を及ぼす係合面を有するばねとを含む。係合面は、取付用ストラップに面する径方向外側と反対に位置する、ばねの径方向内側にある。【選択図】図１
2020016430.tif 000002
【特許請求の範囲】
【請求項１】
照準器であって、
ハウジングと、
少なくとも１つの光学要素と、メインチューブと、少なくとも１つのトラックを有するトラックチューブと、レチクルアセンブリとを有する中継アセンブリであって、該メインチューブの縦軸に対して実質的に平行である軸に沿って該メインチューブ内の該少なくとも１つの光学要素の軸方向位置を調整するために、該トラックチューブは、該メインチューブの周りを、該メインチューブに対して選択的に回動可能であり、該レチクルアセンブリは少なくとも１つの光学要素を有する、中継アセンブリと、
取付用ストラップ及びばねを含む付勢要素であって、該取付用ストラップは前記ハウジングの内面に固定され、該ばねは前記中継アセンブリと接触する係合面を有し、該係合面は、該取付用ストラップに面する径方向外側と反対に位置する該ばねの径方向内側にあり、該付勢要素は、前記中継アセンブリが前記ハウジング内に設置されるときに、前記中継アセンブリに力を及ぼす、付勢要素と、
を備える、照準器。
【請求項２】
少なくとも１つのタレットを有する調整アセンブリを更に備え、前記少なくとも１つのタレットは前記付勢要素と協働して、前記レチクルアセンブリ及び中継アセンブリの位置を調整する、請求項１に記載の照準器。
【請求項３】
前記少なくとも１つのタレットは第１のタレット及び第２のタレットを含み、前記付勢要素によって及ぼされる前記力は、前記第１のタレットによって及ぼされる前記力及び前記第２のタレットによって及ぼされる前記力に対して１３５度の角度にある、請求項２に記載の照準器。
【請求項４】
前記付勢要素の前記係合面は、前記中継アセンブリと前記第１のタレットとの間の接触点に対して１３５度の角度で、かつ前記中継アセンブリと前記第２のタレットとの間の接触点に対して１３５度の角度で前記中継アセンブリと接触する、請求項３に記載の照準器。
【請求項５】
前記取付用ストラップは、前記取付用ストラップを前記ハウジングの内壁に固定する複数の締結具を収容するための複数の穴を有する弓形プレートである、請求項１に記載の照準器。
【請求項６】
前記ばねが自らの上方にわたって戻るように延在し、前記ハウジングの前記内壁の反対に位置する前記取付用ストラップの内側において前記取付用ストラップに重なるように、前記ばねは前記取付用ストラップの径方向に延在するエッジ面から延在し、折り返される、請求項５に記載の照準器。
【請求項７】
前記中継アセンブリは第１の端部及び第２の端部を含み、前記係合面は前記中継レンズアセンブリの前記第１の端部上で前記レチクルアセンブリと接触する、請求項１に記載の照準器。
【請求項８】
前記中継アセンブリは第１の端部及び第２の端部を含み、前記第１の端部は前記係合面と接触し、前記中継アセンブリは前記第１の端部の反対に位置する前記第２の端部において枢動する、請求項１に記載の照準器。
【請求項９】
調整アセンブリの少なくとも１つのタレットが前記付勢要素と協働して、前記ハウジングに対して前記レチクルアセンブリ及び前記中継アセンブリを枢動させる、請求項８に記
載の照準器。
【請求項１０】
前記少なくとも１つのタレットは前記ハウジングの縦軸に直交する第１の方向において動く第１の調整ねじを有する第１のタレットであり、前記第１の調整ねじは、前記付勢要素によって及ぼされる前記力に少なくとも部分的に逆らう力を前記中継アセンブリに及ぼす、請求項９に記載の照準器。
【請求項１１】
前記少なくとも１つのタレットは、前記ハウジングの前記縦軸に直交し、かつ前記第１の方向に直交する第２の方向において動く第２の調整ねじを有する第２のタレットを含み、前記第２の調整ねじは、前記付勢要素によって及ぼされる前記力に少なくとも部分的に逆らう力を前記中継アセンブリに及ぼす、請求項１０に記載の照準器。
【請求項１２】
照準器の中継アセンブリの付勢要素であって、
取付板と、
前記取付板から延在するばねと、を備え、
前記取付板は前記ばねを前記照準器のハウジングの内面に固定し、
前記ばねは、前記中継アセンブリと接触する係合面を有する遊端を含み、
前記ばねは、前記ばねの前記遊端が前記取付板に重なるように折り返される、付勢要素。
【請求項１３】
前記取付板は前記ハウジングの前記内面の形状に類似している、請求項１２に記載の付勢要素。
【請求項１４】
前記取付板は弓形である、請求項１２に記載の付勢要素。
【請求項１５】
前記取付板は、前記取付板を前記ハウジングの前記内面に固定する複数の締結具を収容するための複数の穴を含む、請求項１２に記載の付勢要素。
【請求項１６】
前記ばねは前記取付板から延在するカンチレバー型の板ばねである、請求項１２に記載の付勢要素。
【請求項１７】
前記ばねは、第１の脚部及び第２の脚部を含む伸張ばねであり、前記第１の脚部が、前記ばね内の屈曲部を介して、前記第２の脚部に重なるように折り返される、請求項１２に記載の付勢要素。
【請求項１８】
前記係合面は前記中継アセンブリの端部に配置されるレチクルアセンブリのレチクルハウジングに当接する、請求項１２に記載の付勢要素。
【請求項１９】
前記係合面は、前記レチクルアセンブリ及び前記中継アセンブリが前記ハウジング内に設置されるときに、前記レチクルアセンブリに力を及ぼす、請求項１８に記載の付勢要素。
【請求項２０】
前記係合面は少なくとも１つのタレットを有する調整アセンブリと協働して、前記ハウジング内の前記レチクルアセンブリ及び前記中継アセンブリの位置を調整する、請求項１９に記載の付勢要素。
【発明の詳細な説明】
【技術分野】
【０００１】
本開示は照準器に関し、より詳細には、照準器用中継ばねに関する。
【背景技術】
【０００２】
本項は、必ずしも従来技術ではない、本開示に関する背景情報を提示する。
【０００３】
ユーザーが標的をより明確に視認し、その標的に小火器の照準を定めることができるようにするために、ライフル及び／又は拳銃等の小火器とともに多くの場合に照準器が使用される。ユーザーが小火器の銃身に対して、拡大された標的の位置を合わせることができるようにするために、従来の照準器は像を拡大し、レチクルを与える一連のレンズ及び／又は他の光学構成要素を含む。照準器は、小火器の銃身に対してレチクルの位置を調整できるようにする１つ以上の調整機構を含むことができる。
【０００４】
照準器は、ユーザーが照準器の倍率を容易に、かつ正確に調整できるようにする中継アセンブリを更に含むことができる。そのような中継アセンブリは、１つ以上の光学要素（すなわち、レンズ）を支持するメインチューブと、光学要素のうちの少なくとも１つとともに移動するように固定された軸受を摺動可能に収容する１つ以上のトラック又はスロットを有する、いわゆる「トラックチューブ」とを含む。
【発明の概要】
【０００５】
本節では、本開示の全体的な概要が提供されるが、本開示の範囲全体又は全ての特徴が包括的に開示されるわけではない。
【０００６】
本開示による例示的な照準器は、ハウジングと、中継アセンブリと、付勢要素とを含むことができる。中継アセンブリは少なくとも１つの光学要素と、メインチューブと、少なくとも１つのトラックを有するトラックチューブと、レチクルアセンブリとを更に含む。トラックチューブは、メインチューブの縦軸に対して実質的に平行である軸に沿ってメインチューブ内の少なくとも１つの光学要素の軸方向位置を調整するために、メインチューブの周りを、メインチューブに対して選択的に回動可能である。レチクルアセンブリは、少なくとも１つの光学要素を更に含む。付勢要素は、取付用ストラップ及びばねを含む。取付用ストラップは、ハウジングの内面に固定され、ばねは中継アセンブリと接触する係合面を有する。係合面は、取付用ストラップに面する径方向外側と反対に位置する、ばねの径方向内側にある。付勢要素は、中継アセンブリがハウジング内に設置されるときに、中継アセンブリに力を及ぼす。
【０００７】
照準器は、少なくとも１つのタレットを有する調整アセンブリを更に備えることができる。少なくとも１つのタレットは付勢要素と協働して、レチクルアセンブリ及び中継アセンブリの位置を調整することができる。
【０００８】
少なくとも１つのタレットは第１のタレット及び第２のタレットを含むことができる。付勢要素によって及ぼされる力は、第１のタレットによって及ぼされる力及び第２のタレットによって及ぼされる力に対して１３５度の角度にあってもよい。
【０００９】
付勢要素の係合面は、中継アセンブリと第１のタレットとの間の接触点に対して１３５度の角度で、かつ中継アセンブリと第２のタレットとの間の接触点に対して１３５度の角度で中継アセンブリと接触することができる。
【００１０】
取付用ストラップは、取付用部品をハウジングの内壁に固定する複数の締結具を収容するための複数の穴を有する弓形プレートであってもよい。
【００１１】
ばねが自らの上方にわたって戻るように延在し、ハウジングの内壁の反対に位置する取付用ストラップの内側において取付用ストラップに重なるように、ばねは取付用ストラップの径方向に延在するエッジ面から延在し、折り返すことができる。
【００１２】
中継アセンブリは第１の端部及び第２の端部を含むことができる。係合面は中継アセンブリの第１の端部上でレチクルアセンブリと接触することができる。
【００１３】
中継アセンブリは第１の端部及び第２の端部を含むことができる。第１の端部は係合面と接触し、中継アセンブリは第１の端部の反対に位置する第２の端部において枢動することができる。
【００１４】
調整アセンブリの少なくとも１つのタレットが付勢要素と協働して、ハウジングに対してレチクルアセンブリ及び中継アセンブリを枢動することができる。
【００１５】
少なくとも１つのタレットはハウジングの縦軸に直交する第１の方向において動く第１の調整ねじを有する第１のタレットであってもよい。第１の調整ねじは、付勢要素によって及ぼされる力に少なくとも部分的に逆らう力をレチクルアセンブリに及ぼすことができる。
【００１６】
少なくとも１つのタレットは、ハウジングの縦軸に直交し、かつ第１の方向に直交する第２の方向において動く第２の調整ねじを有する第２のタレットを含むことができる。第２の調整ねじは、付勢要素によって及ぼされる力に少なくとも部分的に逆らう力をレチクルアセンブリに及ぼすことができる。
【００１７】
本発明による照準器の中継アセンブリ用の例示的な付勢要素は、取付板と、取付板から延在するばねとを含むことができる。取付板は、ばねを照準器のハウジングの内面に固定することができる。ばねは、中継アセンブリと接触する係合面を有する遊端を含むことができる。ばねは、ばねの遊端が取付板に重なるように折り返すことができる。
【００１８】
取付板はハウジングの内面の形状に類似することができる。
【００１９】
取付板は弓形であってもよい。
【００２０】
取付板は、取付板をハウジングの内面に固定する複数の締結具を収容するための複数の穴を含むことができる。
【００２１】
ばねは取付板から延在するカンチレバー型の板ばねであってもよい。
【００２２】
ばねは、第１の脚部及び第２の脚部を含む伸張ばねであり、第１の脚部が、ばね内の屈曲部を介して、第２の脚部に重なるように折り返すことができる。
【００２３】
係合面は中継アセンブリの端部に配置されるレチクルアセンブリのレチクルハウジングに当接することができる。
【００２４】
係合面は、レチクルアセンブリ及び中継アセンブリがハウジング内に設置されるときに、レチクルアセンブリに力を及ぼすことができる。
【００２５】
係合面は少なくとも１つのタレットを有する調整アセンブリと協働して、ハウジング内のレチクルアセンブリ及び中継アセンブリの位置を調整することができる。
【００２６】
更なる適用分野は本明細書に提示される記載から明らかとなるであろう。本概要における記載及び特定の例は、例示目的のためだけに意図されており、本開示の範囲を限定することを意図しない。
【００２７】
本明細書に記載されている図面は、選択された実施形態の例示のみを目的としており、可能な実施態様の全てではなく、本開示の範囲を限定することを意図しない。
【図面の簡単な説明】
【００２８】
【図１】本開示の原理による照準器を組み込む小火器の斜視図である。
【図２】図１の線２−２に沿って見た図１の照準器の断面図である。
【図３】図１の線３−３に沿って見た図１の照準器の断面図である。
【図４】図１の線４−４に沿って見た図１の照準器の断面図である。
【図５】図１のハウジング及び中継アセンブリの組立分解図である。
【図６】図１の中継アセンブリの斜視図である。
【図７】図６の線７−７に沿って見た中継アセンブリの断面図である。
【図８Ａ】図６の中継アセンブリの付勢要素の異なる斜視図である。
【図８Ｂ】図６の中継アセンブリの付勢要素の異なる斜視図である。
【００２９】
図面のいくつかの図を通して、対応する参照符号は対応する部分を示す。
【発明を実施するための形態】
【００３０】
以下に、添付の図面を参照して、例示的な実施形態をより詳細に説明する。
【００３１】
例示的な実施形態は、本開示が完全なものとなるように、かつその範囲を当業者に十分に伝えるように提示される。特定の構成部材、装置及び方法の例のような多くの特定の詳細は、本開示の実施形態の完全な理解を与えるために記載される。特定の詳細を用いる必要はないこと、例示的な実施形態を多くの異なる形態で具現することができること、及び本開示の範囲を限定するものと解釈すべきではないことが、当業者には明らかであろう。幾つかの例示的な実施形態では、既知のプロセス、既知の装置構造、及び既知の技術は詳細には説明しない。
【００３２】
本明細書において用いられている術語は、特定の例示的な実施形態を説明することのみを目的としており、限定することを意図しない。本明細書において用いられる場合、単数形である"a"、"an"及び"the"は、文脈がそうではないことをはっきりと示していない限り複数形も含むことを意図することができる。「備える（"comprises", "comprising"）」、「含む（"including"）」及び「有する（"having"）」は包括的であり、したがって、述べられている特徴、整数、ステップ、動作、要素及び／又は構成部材の存在を明示しており、１つ以上の他の特徴、整数、ステップ、動作、要素、構成部材及び／又はその群の存在又は追加を排除するものではない。本明細書に記載の方法ステップ、プロセス及び動作は、実施順序として具体的に明記されていない限り、説明又は例示されている特定の順序でのそれらの実施を必ずしも必要とするものと解釈すべきではない。付加的又は代替的なステップを用いることができることも理解すべきである。
【００３３】
或る要素又は層が別の要素又は層「の上にある（on：に接している）」、「に係合」、「に接続」又は「に連結」されるものと言及されている場合、或る要素又は層は他の要素又は層の直接上にあるか、直接係合、直接接続若しくは直接連結されることができるか、又は間に介在する要素若しくは層が存在する場合がある。逆に、或る要素が別の要素又は
層「の直接上に」、「に直接係合」、「に直接接続」又は「に直接連結」されるものと言及されている場合、間に介在する要素又は層が存在する場合はない。要素間の関係を説明するのに用いられている他の語も同様に（例えば、「間に」対「直接間に」、「隣接した」対「直接隣接した」等）解釈すべきである。本明細書において用いられる場合、用語「及び／又は」は関連の列挙されたもののうちの１つ以上のいずれか及び全ての組み合わせを含む。
【００３４】
種々の要素、構成部材、領域、層及び／又はセクションを説明するのに第１の、第２の、第３の等の用語を本明細書において用いることができるが、これらの要素、構成部材、領域、層及び／又はセクションはこれらの用語によって限定されるべきではない。これらの用語は、或る要素、構成部材、領域、層又はセクションを別の領域、層又はセクションと区別するためだけに用いることができる。本明細書において用いられる場合の「第１の」、「第２の」及び他の数詞的な用語等の用語は、文脈によってはっきりと示されていない限り、或るシーケンスすなわち順序を示唆するものではない。したがって、以下に説明する第１の要素、構成部材、領域、層又はセクションは、例示的な実施形態の教示から逸脱することなく第２の要素、構成部材、領域、層又はセクションと呼ぶことができるであろう。
【００３５】
「内」、「外」、「下」、「下方」、「下側」、「上方」、「上側」等のような、空間的に相対的な用語は、図面に示されているように、或る要素又は特徴部の、別の要素（複数の場合もある）又は特徴部（複数の場合もある）に対する関係を説明するために、記載しやすくするために本明細書において用いることができる。空間的に相対的な用語は、図に示される向きに加え、使用時又は動作時の装置の異なる向きを含むことを意図することができる。例えば、図面の装置を逆さにした場合、他の要素又は特徴部の「下方」又は「下」として記載されている要素は、他の要素又は特徴部の「上方」の向きになる。したがって、「下方」という例示的な用語は上方及び下方の向きの双方を含むことができる。装置は別様の向きにある（９０度又は他の向きで回転されている）こともでき、本明細書において用いる空間的に相対的な記述はそれに従って解釈することができる。
【００３６】
図１〜図３を参照すると、照準器１０が提供され、ハウジング１４と、光学要素列（optics train）１８と、調整システム２２と、中継アセンブリ２６とを含むことができる。ハウジング１４は、小火器３０に取外し可能に取り付けられ、光学要素列１８及び調整システム２２を支持する。光学要素列１８はハウジング１４と協働して、標的の拡大像を与え、一方、調整システム２２は、ハウジング１４に対して光学要素列１８及び中継アセンブリ２６の少なくとも一部を位置決めし、光学要素列１８及び中継アセンブリ２６に関連付けられるレチクルパターン（図示せず）を小火器３０に対して適切に位置合わせする。発光ダイオード（ＬＥＤ、図示せず）又は他の照明システムが光学要素列１８と協働して、レチクルパターンを照明し、ユーザーが標的を照準器１０及び小火器３０に対して位置合わせするのを支援することができる。
【００３７】
ハウジング１４は小火器３０に取外し可能に固定することができ、本体３４と、アイピース３８と、アイピース３８を本体３４に固定する取付カラー４２とを含む。本体３４は全体として筒状の部材とすることができ、内部空洞４６と、ハウジング１４の第１の端部５４と第２の端部５８との間に延在する縦軸５０と、ハウジング１４を、本体３４を介して小火器３０に取り付けるためにマウント６４（図５）と協働する取付部分６２とを含む。
【００３８】
図２に示されるように、第１の端部５４は一連のねじ山６６を含み、一連のねじ山は取付カラー４２のねじ山７０と協働して、第１の端部５４において取付カラー４２を本体３４に固定する。第１の端部５４は一連のねじ山７４を更に含み、ねじ山７４は、本体３４
の内部空洞４６の反対に位置するように、第１の端部において、本体３４の、ねじ山６６とは反対側に形成される。第２の端部５８は、本体３４の、第１の端部５４とは反対側に配置され、一連の雌ねじ７８を有する開口部７６を含む。雌ねじ７８は光学要素列１８の一部と協働して、光学要素列１８を本体３４内に保持する。
【００３９】
取付部分６２は縦軸５０に沿って配置され、全体として第１の端部５４と第２の端部５８との間に位置する。取付部分６２は一連のねじ穴８２（図２）を含むことができ、一連のねじ穴はマウント６４（図５）と協働して、ハウジング１４の取付部分６２において、照準器１０を小火器３０に取り付けられるようにする。例えば、ねじ穴８２は締結具８４を収容することができ、締結具はマウント６４内の穴を貫通し、取付部分６２をマウント６４に固定する。他の実施形態では、ねじ穴８２は小火器３０に関連付けられる取付機構８６（図１）と直接協働し、ハウジング１４の取付部分６２において、照準器１０を小火器３０に取り付けられるようにする。
【００４０】
アイピース３８は、上記のように、取付カラー４２を介して、第１の端部５４において本体３４に取り付けられる。アイピース３８は、一連の雄ねじ９４及び一連の雌ねじ５６を有するハウジング９０を含む。雄ねじ９４は取付カラー４２の雌ねじ９８と係合し、本体３４に対してアイピース３８を調整できるようにする。
【００４１】
アイピース３８は取付カラー４２によって本体３４の第１の端部５４に対して位置決めされ、アイピース３８が、本体３４に対して光学要素列１８の一部を所定の距離において支持できるようにする。すなわち、図２及び図３に示されるように、光学要素列１８の一部が、取付カラー４２によって、縦軸５０に沿って中継アセンブリ２６から所定の距離に位置決めされる。
【００４２】
図２〜図４を特に参照すると、光学要素列１８は、接眼レンズアセンブリ１０２と、ズームアセンブリ１０６と、レチクルアセンブリ１１０と、対物レンズアセンブリ１１４とを含むものとして示される。接眼レンズアセンブリ１０２は一連のレンズ１１８を含むことができる。接眼レンズアセンブリ１０２は、１つ以上の保持カラー１２２によって、ハウジング１４の本体３４に対してアイピース３８によって支持することができる。１つの構成では、保持カラー１２２はアイピース３８の雌ねじ５６に螺合し、接眼レンズアセンブリ１０２のレンズ１１８をアイピース３８内に保持し、位置決めする。
【００４３】
ズームアセンブリ１０６は、中継アセンブリ２６によって照準器１０のハウジング１４内に支持され、第１の中継レンズアセンブリ１２６と、第２の中継レンズアセンブリ１３０と、第３の中継レンズアセンブリ１３４と、１つ以上の固定レンズ１３６とを含むことができる。第１の中継レンズアセンブリ１２６、第２の中継レンズアセンブリ１３０及び第３の中継レンズアセンブリ１３４はそれぞれレンズ（又は一連のレンズ）１３２を含むことができ、レンズは互いに、かつ固定レンズ１３６と協働して、開口部７６においてハウジング１４によって取り込まれる像の倍率を調整する。
【００４４】
レチクルアセンブリ１１０は、レチクル−レンズハウジング１４２によって支持される１つ以上のレチクルレンズ１３８を含むことができる。レチクル−レンズハウジング１４２は、中継アセンブリ２６に取り付けられ、中継アセンブリ２６によって、本体３４の内部空洞４６内に支持される。したがって、中継アセンブリ２６がハウジング１４の内部空洞４６内で、内部空洞４６に対して動かされるとき、レンズ１３８も同じく内部空洞４６内で、内部空洞４６に対して動かされる。レンズ１３８は、その上に刻まれたレチクルパターンを含むので、ハウジング１４の内部空洞４６内で、内部空洞４６に対してレチクル−レンズハウジング１４２及びレンズ１３８が動くと、レチクルパターンの位置も同じく、ハウジング１４内で、ハウジング１４に対して調整される。さらに、ハウジング１４は
、本体３４の取付部分６２を介して、かつ小火器３０のマウント６４及び／又は取付機構８６を介して、小火器３０に固定されるので、ハウジング１４に対してレチクルパターンを調整することにより、小火器３０に対するレチクルパターンの位置も同じく調整される。
【００４５】
対物レンズアセンブリ１１４は、ハウジング１４の第２の端部５８に近接して配置することができ、一連の対物レンズ１４６を含むことができる。対物レンズ１４６は、少なくとも１つの保持カラー１５０を介して、ハウジング１４内に保持及び支持することができる。１つの構成において、保持カラー（複数の場合もある）１５０は開口部７６の雌ねじ７８に螺合し、ハウジング１４の縦軸５０に沿って所望の場所に対物レンズ１４６を位置決めし、保持する。
【００４６】
光学要素列１８の上記の説明は、光学構成要素の例示的な構成を示すために与えられる。本開示の原理は、上記の特定の構成要素及び／又は構成要素の配列を含む、光学要素列を有する照準器への適用例には限定されない。照準器１０は、所与の適用例に適合する光学構成要素の任意の他の構成又は配列を含むことができ、照準器１０に実質的に任意の倍率を与えることができる。
【００４７】
引き続き図２〜図４を参照すると、第１及び第２のアジャスターアセンブリ又はタレット１５４、１５８を含む調整システム２２が示される。１つの構成において、調整タレット１５４は、ハウジング１４に対して位置決めされ、ハウジング１４によって支持され、それにより、調整タレット１５４は、図２に示されるように、縦軸５０に対して実質的に垂直な方向に、かつ方向（Ｘ）にレチクル−レンズハウジング１４２、それゆえ、レンズ１３８の位置を調整できるようにする。レンズ１３８を方向（Ｘ）に動かすことは、同じくレチクルパターンも方向（Ｘ）に動かすことになり、それにより、小火器３０に対してレチクルパターンの位置が調整される。方向（Ｘ）においてレチクルパターンの位置を調整することは、小火器３０の上面１６２に対して近接離反する方向においてレチクルパターンの位置を、それゆえ、レチクルパターンの仰角位置を調整し、異なる距離の標的に向かって発砲するときに、ユーザーが仰角を考慮できるようにする。
【００４８】
調整タレット１５８は、縦軸５０に対して実質的に垂直に位置決めされるが、調整タレット１５４に対して縦軸５０の周りを９０度だけ回動する。調整タレット１５８も同様に、調整タレット１５４と同じようにして、ハウジング１４２に対するレチクル−レンズハウジング１４２及び関連するレンズ１３８の位置を調整することができる。しかしながら、調整タレット１５８は、方向（Ｙ、図３）においてレンズ１３８の位置を調整し、それにより、方向（Ｘ）に対して実質的に９０度の方向においてレンズ１３８を動かす。レンズ１３８を方向（Ｙ）に動かすことによって、レチクルパターンも同じく方向（Ｙ）に、かつ小火器３０の上面１６２に対して実質的に平行に動く。したがって、調整タレット１５８によって、ユーザーは、照準器１０及び小火器３０を使用するときに偏流を考慮できるようになる。
【００４９】
調整タレット１５４、１５８は実質的に同一である。したがって、調整タレット１５４に関する説明のみが与えられる。
【００５０】
調整タレット１５４は、カバー１６６と、本体１７０と、調整ねじ１７４とを含む。カバー１６６はアジャスターねじ１７４に固定される。したがって、カバー１６６が本体１７０に対して回動するとき、調整ねじ１７４も同じく本体１７０に対して動く。本体１７０に対してカバー１６６が回動する方向に応じて、調整ねじ１７４は、方向（Ｘ）に沿って、レチクル−レンズハウジング１４２に対して近接又は離反するように動く。本体１７０はハウジング１４に対してカバー１６６を回動可能に支持し、ハウジング１４に対して
方向（Ｘ）に動くように調整ねじ１７４も支持する。
【００５１】
本体１７０は一連のねじ山１７８を含み、一連のねじ山は本体３４のねじ穴１８２と螺合する。本体１７０のねじ山１７８とハウジング１４のねじ穴１８２との係合によって、本体１７０がハウジング１４に取り付けられる。さらに、本体３４に対して本体１７０を位置決めすることによって、調整ねじ１７４がハウジング１４の内部空洞４６の中に延在できるようになり、それにより、調整ねじ１７４がレチクル−レンズハウジング１４２と接触できるようになる。後に更に詳細に説明されるように、レチクル−レンズハウジング１４２は、中継アセンブリ２６によって、調整ねじ１７４と係合するように付勢される。
【００５２】
照準器１０はレチクルの輝度を設定する輝度制御アセンブリ１８６を更に含むことができる。ハウジング１４に固定される輝度制御ハウジング又は輝度制御ノブ１９４の内部空洞１９０内に輝度制御ノブボードアセンブリ１８８を配置することができる。輝度エレクトロニクスカバー１９８が輝度制御ノブ１９４の内部空洞１９０を封止することができ、輝度制御ノブボードアセンブリ１８６にアクセスできるようにする。輝度エレクトロニクスカバー１９８は、輝度制御ノブ１９４の環状面２０２と（例えば、ねじ山又は別の方法によって）係合することができ、内部空洞１９０を画定する。輝度制御ノブボードアセンブリ１８６は、ケーブル２０６（図２）によってレチクルアセンブリ１１０に電気的に接続することができる。
【００５３】
さらに、レチクルアセンブリ１１０、又は光学要素列１８の任意の他の部分に電力を供給する電池（図示せず）を、ハウジング１４に固定される電池ハウジング２１０の内部空洞（図示せず）内に配置することができる。電池キャップ２１２が電池ハウジング２１０を封止することができ、電池にアクセスできるようにする。電池キャップ２１２は、電池ハウジング１９４の環状面と（例えば、ねじ山又は別の方法によって）係合することができ、内部空洞を画定する。電池は、ケーブル及び／又はコンタクトサブアセンブリによって、レチクルアセンブリ１１０、又は光学要素列１８の他の部分に電気的に接続され、電力を供給することができる。
【００５４】
図５〜図８Ｂを特に参照すると、中継アセンブリ２６が図示されており、メインチューブ２１４と、トラックチューブ２１８と、エンドキャップ２２２と、付勢要素２３０とを含む。メインチューブ２１４は、図２及び図３に示されるように、縦軸５０に実質的に平行な方向に動かすために、その中に第１の中継レンズアセンブリ１２６、第２の中継レンズアセンブリ１３０及び第３の中継レンズアセンブリ１３４を摺動可能に支持する。メインチューブ２１４は更に、内部空洞４６内にトラックチューブ２１８を回動可能に支持し、トラックチューブ２１８が縦軸５０の周りで、メインチューブ２１４に対して回動できるようにする。
【００５５】
メインチューブ２１４は、第１の端部２３４と、第２の端部２３８と、第１の端部２３４と第２の端部２３８との間に延在する内部空洞２４２と、スロット２４６とを含む。第１の端部２３４は係合面２５０を含み、第２の端部２３８は、メインチューブ２１４の、第１の端部２３４とは反対端に配置され、係合面２５４を含む。スロット２４６がメインチューブ２１４の外面２５８から内部空洞２４２の中に延在するように、スロット２４６はメインチューブ２１４を貫通して形成される。スロット２４６は全体として第１の端部２３４と第２の端部２３８との間に延在し、縦軸５０に対して実質的に平行である。
【００５６】
トラックチューブ２１８がメインチューブ２１４上に設置されるときに、トラックチューブ２１８の内面２６２がメインチューブ２１４の外面２５８に向かい合うように、トラックチューブ２１８はメインチューブ２１４によって摺動可能に、かつ回動可能に収容される。トラックチューブ２１８は、第１の端部２６６と、第２の端部２７０と、第１のス
ロット２７４と、第２のスロット２７８と、第３のスロット２８２とを含む。第１の端部２６６は、係合面２９０及び穴２９４を有するカラー２８６を含む。第２の端部２７０は、トラックチューブ２１８の、第１の端部２６６とは反対の端部に配置される。
【００５７】
第１のスロット２７４、第２のスロット２７８及び第３のスロット２８２はそれぞれ、縦軸５０に対して或る角度に形成される。例えば、図６に示されるように、第１のスロット２７４は角度（φ）に形成することができ、一方、第２のスロット２７８は角度（β）に形成され、第３のスロット２８２は角度（α）に形成される。角度（φ、β、α）はそれぞれ、図６に最もわかりやすく示されるように、スロット２７４、２７８、２８２が互いに同じ方向に角度を付けられるように鋭角である。角度（φ、β、α）は、後に更に詳細に説明されるように、中継レンズアセンブリ１２６、１３０、１３４を異なる程度に調整できるようにするために、異なる鋭角とすることができる。スロット２７４、２７８、２８２は、トラックチューブ２１８を貫通して内面２６２と外面２９６との間に延在する。
【００５８】
エンドキャップ２２２は、球状外面２９８と、エンドキャップ２２２を貫通して延在する穴（図示せず）とを含む。穴はエンドキャップ２２２の周りに間隔を置いて配置される。それらの穴は、メインチューブ２１４のそれぞれの取付穴において、エンドキャップ２２２をメインチューブ２１４に取り付ける締結具を収容する。
【００５９】
エンドキャップ２２２は、ハウジング１４の本体３４内に配置されるカラー３１０内に形成されるソケット又はシート３０６と係合している。ソケット又はシート３０６はハウジング１４に固定することができるか、ハウジング１４の中に機械加工することができ、内部空洞４６内に配置される。エンドキャップ２２２の球状外面２９８は、中継アセンブリ２６が内部空洞４６内に設置されるときに、ハウジング１４のソケット３０６と係合している。エンドキャップ２２２は内部空洞４６内に保持され、保持器３１４（図２及び図７）によって、ソケット３０６と接触した状態に保たれる。保持器３１４は係合面３１８を含み、係合面はカラー３１０のソケット３０６と協働して、エンドキャップ２２２のための座面を与える。
【００６０】
エンドキャップ２２２がカラー３１０のソケット３０６と、かつ保持器３１４の係合面３１８と接触しているとき、エンドキャップ２２２は、ハウジング１４内でソケット３０６の周りを回動できるようになる。エンドキャップ２２２がハウジング１４内で、ハウジング１４に対して回動することによって、同じく、メインチューブ２１４、それゆえ、トラックチューブ２１８が、ハウジング１４の内部空洞４６内で、内部空洞４６に対してエンドキャップ２２２の周りを枢動する。エンドキャップ２２２が、締結具を介して、メインチューブ２１４とともに動くように固定され、トラックチューブ２１８がメインチューブ２１４に取り付けられ、全体としてエンドキャップ２２２とレチクルレンズアセンブリ２７０との間に延在するので、メインチューブ２１４及びトラックチューブ２１８はエンドキャップ２２２とともに枢動する。それゆえ、メインチューブ２１４の第２の端部２３８付近に力が加えられるとき、エンドキャップ２２２の球状外面２９８がソケット３０６によって方向付けられ、ソケット３０６と接触しているので、メインチューブ２１４及びトラックチューブ２１８がハウジング１４に対して動き、エンドキャップ２２２の周りを枢動する。
【００６１】
保持器３１４はねじ切り部分３２２を含み、ねじ切り部分３２２がねじ山７４と係合するとき、係合面３１８がエンドキャップ２２２の球状外面２９８と接触するまで、ねじ切り部分３２２を本体３４の第１の端部５４に螺入することができる。すなわち、ソケット３０６内で、ソケット３０６に対して球状外面２９８が動かないように望ましい程度の抵抗力を与えるために、球状外面２９８においてエンドキャップ２２２に所望の力が加えら
れるまで、保持器３１４を第１の端部５４に挿入することができる。カラー３１０のソケット３０６に対して保持器３１４が所望の位置に到達し、エンドキャップ２２２がソケット３０６内に位置決めされると、例えば、ロックタイト（登録商標）、別の適切な接着剤、又は別の適切な固定方法を用いて、ハウジングに対する保持器３１４の位置を固定することができる。
【００６２】
レチクルレンズアセンブリ１１０のレチクルレンズハウジング１４２は、トラックチューブ２１８の穴（図示せず）によって収容される締結具３２６によってトラックチューブ２１８の第２の端部２７０に固定される。レチクルレンズハウジング１４２及びエンドキャップ２２２の組み合わせが、メインチューブ２１４に沿ってトラックチューブ２１８を位置決めする。
【００６３】
付勢要素２３０は、取付用ストラップ３３０と、係合面３３８を有するＶ字形ばね３３４とを含むことができる。ばね３３４は、取付用ストラップ３３０から軸方向に延在し、取付用ストラップ３３０は、ばね３３４を、ハウジング１４の本体３４の内壁３４２に取り付ける。取付用ストラップ３３０は、取付用ストラップ３３０を内壁３４２に固定する締結具３５０を収容するための複数の穴又は貫通孔３４６を有する弓形プレートとすることができる。取付用ストラップ３３０は、内壁３４２の表面の湾曲形状に一致するような弓形とすることができる。締結具３５０は穴３４６に挿入することができ、その後、内壁３４２内に形成されるそれぞれの穴３５４の中に挿入することができる。内壁３４２内の穴３５４は、一連のねじ山３５８を含むことができ、それらのねじ山が締結具３５０を収容し、締結具３５０と螺合する。付勢要素２３０が内壁３４２に取り付けられると、付勢要素２３０はハウジング１４の本体３４に対して固定される。
【００６４】
ばね３３４は板ばねとすることができ、ばね３３４が自らの上方にわたって戻るように延在し（すなわち、ばね３３４の第１の脚部３６０が、ばね３３４内の屈曲部３６８を介して、ばねの第２の脚部３６４の上方にわたって折り返し）、内壁３４２の反対に位置する取付用ストラップ３３０の内側３６６において取付用ストラップ３３０に重なるように、ばね３３４は取付用ストラップ３３０の径方向に延在するエッジ面３６２から延在し、折り返されるか、又は曲げられる。ばね３３４は、単一の端部において取付用ストラップ３３０に取り付けられるだけであるので、ばね３３４は、カンチレバー構造を与える。ばね３３４の折り返し形状は伸張ばね構造（expansion spring structure）を与え、径方向外向きの付勢力がレチクルレンズハウジング１４２に及ぼされるように、ばね３３４の自由高さは、ばねがはめ込まれる間隙より大きい。係合面３３８は、ばね３３４の遊端３７０上に、かつ取付用ストラップ３３０に面する径方向外側３７８の反対に位置するばね３３４の径方向内側３７４上に位置する。
【００６５】
ばね３３４は折り返し、ハウジング１４の内壁３４２から離れていき、係合面３３８が、内部空洞４６内でレチクルアセンブリ１１０のレチクルレンズハウジング１４２の外面３８２と当接できるようにする。係合面３３８は、レチクルレンズハウジング１４２の遊端３８６付近の場所においてレチクルレンズハウジング１４２の外面３８２と当接し、調整タレット１５４、１５８から円周方向に離間し、付勢要素２３０が、調整タレット１５４、１５８のそれぞれに同時に力を及ぼすことができるようにする。一例にすぎないが、図４を参照すると、調整タレット１５４は、レチクルレンズハウジング１４２上の１２時の位置に接触する場合があり、調整タレット１５８は、レチクルレンズハウジング１４２上の９時の位置に接触する場合があり、ばね３３４の係合面３３８は、４時の位置から５時の位置の範囲内の位置で、より好ましくは、４時の位置と５時の位置との間の中間において、レチクルレンズハウジング１４２と接触する場合がある。
【００６６】
１つの構成では、図４に最もわかりやすく示されるように、付勢要素２３０のばね３３
４は、ばね３３４上の係合面３３８に対して垂直に貫通して延在する軸Ａが、調整タレット１５４、１５８のそれぞれに対して（詳細には、調整ねじ１７４の縦軸Ｂ及びＣに対して）角度α及び角度φをなすように位置する。一例にすぎないが、角度α及び角度φはそれぞれ、好ましくは、調整ねじ１７４の縦軸Ｂ及びＣに対して４５度〜１８５度の範囲にあることができ、最も好ましくは、調整ねじ１７４の縦軸Ｂ及びＣに対して１３５度に実質的に等しくすることができる。言い換えると、ばね３３４は、調整タレット１５４及び調整タレット１５８から円周方向に約１３５度だけオフセットされる。ばね３３４を上記のようにして位置決めすることによって、付勢要素２３０は調整タレット１５４、１５８の調整ねじ１７４に対して同時に力を及ぼすことができるようになり、それにより、レチクルパターンを正確に調整できるようになる。好ましくは、ばね３３４を上記のようにして位置決めすることによって、付勢要素２３０は、調整タレット１５４、１５８の調整ねじ１７４のそれぞれに等しい力を同時に及ぼすことができるようになる。
【００６７】
例えば、調整タレット１５４によって、調整ねじ１７４が方向（Ｘ）に沿って、取付用ストラップ３３０から離れるように動くとき、レチクルレンズハウジング１４２のレンズ（複数の場合もある）１３８は、方向（Ｘ）に沿って取付用ストラップ３３０から離れる方向に動く。逆に、調整タレット１５４によって、調整ねじ１７４が方向（Ｘ）において取付用ストラップ３３０に向かって動くとき、ばね３３４が撓み、そのような運動への抵抗を与え、それにより、ユーザーが、Ｘ方向においてレンズ（複数の場合もある）１３８を正確に調整できるようにし、それゆえ、レチクルパターンを正確に調整できるようにする。
【００６８】
同様に、調整タレット１５８によって、調整ねじ１７４が方向（Ｙ）に沿って取付用ストラップ３３０から離れるように動くとき、レチクルレンズハウジング１４２のレンズ（複数の場合もある）１３８は、方向（Ｙ）に沿って取付用ストラップ３３０から離れる方向に動く。逆に、調整タレット１５８によって、調整ねじ１７４が方向（Ｙ）において取付用ストラップ３３０に向かって動くとき、ばね３３４が撓み、そのような運動への抵抗を与え、それにより、ユーザーが、Ｙ方向においてレンズ（複数の場合もある）１３８を正確に調整できるようにし、それゆえ、レチクルパターンを正確に調整できるようにする。
【００６９】
中継アセンブリ２６がハウジング１４内に設置され、アイピース３８が第１の端部５４に取り付けられると、照準器１０は、取付部分６２、マウント６４及び取付機構８６を用いて小火器３０に取り付けることができる。この時点で、それぞれの調整ねじ１７４を選択的に、内部空洞４６の中に更に挿入させるか、又は内部空洞４６から更に後退させ、それにより、ハウジング１４の内部空洞４６内で、内部空洞４６に対してレチクルレンズハウジング１４２の位置を調整することによって、ユーザーが、調整タレット１５４、１５８の一方又は両方を用いて仰角及び偏流を考慮できるようになる。上記のように、偏流及び仰角を正確に調整するために、付勢要素２３０は、レチクルレンズハウジング１４２の遊端３８６に力を及ぼし、レチクルレンズハウジング１４２及びレンズ（複数の場合もある）１３８を取付用ストラップ３３０から離れる方向に、かつ調整タレット１５４、１５８と接触するように付勢する。内部空洞４６内で、内部空洞４６に対してレチクルレンズハウジング１４２をそのように動かすことによって、同じく、レンズ（複数の場合もある）１３８も動き、それにより、ハウジング１４に対してだけでなく、小火器３０に対してもレチクルパターンの位置が調整される。
【００７０】
調整ねじ１７４によってレチクルレンズハウジング１４２に力を加えることによって、レチクルレンズハウジング１４２を動かすことができ、それにより、中継アセンブリ２６がエンドキャップ２２２の周りで枢動する。エンドキャップ２２２がそのように動くことによって、球状外面２９８がソケット３０６と係合する。球状外面２９８とソケット３０
６とがそのように係合することにより、内部空洞４６内で、内部空洞４６に対する中継アセンブリ２６の動きが制御される。
【００７１】
ハウジング１４によって、かつ取付カラー４２（図２）によって回動可能に支持される調整カラー３９０に回動力を加えることによって、倍率の拡大縮小を成し遂げることができる。調整カラー３９０は、調整カラー３９０とともに動くように固定され、トラックチューブ２１８の穴２９４によって収容されるポスト３９４を含む。したがって、調整カラー３９０に回動力が加えられ、調整カラー３９０がハウジング１４に対して動かされるとき、その力は、ポスト３９４によってトラックチューブ２１８に伝達される。伝達される力は、同じく、トラックチューブ２１８を縦軸５０の周りでハウジング１４に対して回動させる。
【００７２】
縦軸５０の周りでトラックチューブ２１８が回動することにより、第１の中継レンズアセンブリ１２６、第２の中継レンズアセンブリ１３０及び第３の中継レンズアセンブリ１３４が縦軸５０に沿って軸方向に動くことによって、照準器１０の倍率が調整される。すなわち、第１の中継レンズアセンブリ１２６、第２の中継レンズアセンブリ１３０及び第３の中継レンズアセンブリ１３４はそれぞれ、ねじ穴４１０をそれぞれ有する、それぞれのハウジング３９８、４０２、４０６を含む。穴４１０は、軸受４１６を有する締結具４１２を収容する。したがって、締結具４１２が穴４１０内に設置されるときに、軸受４１６は、全体として、締結具４１２の頭部とそれぞれのハウジング３９８、４０２、４０６の外面との間に配置される。
【００７３】
軸受４１６はトラックチューブ２１８のそれぞれのスロット２７４、２７８、２８２内に回動可能に収容され、メインチューブ２１４のスロット２４６（図５）内に同じく収容される。軸受４１６は、それぞれの締結具４１２の周りを回動し、軸受４１６が、トラックチューブ２１８のスロット２７４、２７８、２８２内で、それらのスロットに対して、かつメインチューブ２１４のスロット２４６内で動くことができるようにする。
【００７４】
調整カラー３９０に回動力が加えられ、ポスト３９４を介して、トラックチューブ２１８にその回転力が加えられるとき、第１のスロット２７４、第２のスロット２７８及び第３のスロット２８２に角度がついていることに起因して、その力は軸受４１６にも伝達される。すなわち、トラックチューブ２１８がメインチューブ２１４の周りを、メインチューブ２１４に対して回転するとき、軸受４１６は第１のスロット２７４、第２のスロット２７８及び第３のスロット２８２を横断する。そのような動きによって、同じく、軸受４１６が、縦軸５０に対して実質的に平行な方向に、かつメインチューブ２１４のスロット２４６内で動く。
【００７５】
メインチューブ２１４のスロット２４６に沿って軸受４１６が動くと、同じく、ハウジング３９８、４０２、４０６が、縦軸５０に対して実質的に平行な方向に、かつメインチューブ２１４の内部空洞２４２内で動く。縦軸５０に対して実質的に平行な方向に、かつメインチューブ２１４内でハウジング３９８、４０２、４０６がそのように動くと、同じく、ハウジング３９８、４０２、４０６に関連付けられるそれぞれのレンズ１３２がメインチューブ２１４内で、メインチューブ２１４に対して動く。レンズ１３２が動くと、照準器１０の倍率が調整される。所望の倍率が達成されると、調整カラー３９０に加えられる力は解除することができ、第１の中継レンズアセンブリ１２６、第２の中継レンズアセンブリ１３０及び第３の中継レンズアセンブリ１３４の位置、それゆえ、メインチューブ２１４内の関連するレンズ１３２の位置が、メインチューブ２１４及びトラックチューブ２１８のそれぞれのスロット２４６、２７４、２７８、２８２内の軸受４１６間の係合に起因して保持される。
【００７６】
実施形態の上述の記載は例示及び説明のために提示されている。上述の記載は網羅的にすることも本開示を限定することも意図しない。特定の実施形態の個々の要素又は特徴は概して、その特定の実施形態に限定されないが、適用可能な場合、具体的に図示又は説明がされていないとしても、入れ替え可能であり、選択された実施形態において用いることができる。特定の実施形態の個々の要素又は特徴を多くの方法で変えることもできる。そのような変形は、開示から逸脱するものとしてみなされるべきではなく、そのような変形が全て開示の範囲内に含まれることを意図する。
【図１】
2020016430.tif 000003
【図２】
2020016430.tif 000004
【図３】
2020016430.tif 000005
【図４】
2020016430.tif 000006
【図５】
2020016430.tif 000007
【図６】
2020016430.tif 000008
【図７】
2020016430.tif 000009
【図８Ａ】
2020016430.tif 000010
【図８Ｂ】
2020016430.tif 000011